(57)【要約】モニター用ケーブルが、各々がモニター用ケーブルの実質的に全長にわたり延在している複数個の個別的なワイヤと、各々が該複数個の個別的なワイヤの内の夫々の一つへ電気的に接続されており且つ該ケーブルに沿った種々の点に位置されている複数個の電極とを有するケーブルを有している。【選択図】図１Ｄ
2004501736.tif 000002
【特許請求の範囲】
【請求項１】
モニター用ケーブルにおいて、
各々がケーブルの実質的に全長にわたり延在している複数個の個別的なワイヤを包含するケーブル、
各々が前記複数個の個別的なワイヤの夫々の一つに電気的に接続されており且つ前記ケーブルの種々の点に位置されている複数個の電極、
を有しているモニター用ケーブル。
【請求項２】
請求項１において、前記複数個の個別的なワイヤの各々が単一ストランドワイヤを有しているモニター用ケーブル。
【請求項３】
請求項１において、前記複数個の個別的なワイヤの各々がマルチストランドワイヤを有しているモニター用ケーブル。
【請求項４】
請求項１において、前記複数個の電極が前記ケーブル内に一体的に形成されているモニター用ケーブル。
【請求項５】
請求項１において、更に、各々が前記複数個のワイヤの夫々の一つと夫々の電極との間に電気的に位置されている複数個の抵抗要素を有しているモニター用ケーブル。
【請求項６】
請求項１において、前記ケーブルが実質的に平坦なリボンケーブルであり、前記複数個の個別的なワイヤが前記モニター用ケーブルの実質的に全長にわたり並置して延在しているモニター用ケーブル。
【請求項７】
請求項１において、前記ケーブルが実質的に円形断面であるモニター用ケーブル。
【請求項８】
請求項１において、前記複数個の個別的なワイヤが互いに電気的に絶縁されているモニター用ケーブル。
【請求項９】
請求項１において、更に、前記ケーブルの一端に設けられており且つ各々が前記複数個の個別的なワイヤの夫々の一つへ接続されている複数個のコンタクト部分を包含しているインターフェースコネクタを有しており、前記インターフェースコネクタが本モニター用ケーブルをモニター装置へ接続させるために設けられているモニター用ケーブル。
【請求項１０】
モニター用ケーブルにおいて、
各々がケーブルの実質的に全長にわたって延在している複数個の個別的なワイヤを包含しているケーブル、
各々が前記複数個のワイヤの内の夫々の一つへ電気的に接続しており且つ前記ケーブルに沿って種々の点に位置されている複数個の電極コネクタ、
を有しているモニター用ケーブル。
【請求項１１】
請求項１０において、前記複数個の個別的なワイヤの各々が単一ストランドワイヤを有しているモニター用ケーブル。
【請求項１２】
請求項１０において、前記複数個の個別的なケーブルの各々がマルチストランドワイヤを有しているモニター用ケーブル。
【請求項１３】
請求項１０において、前記複数個の電極コネクタが前記ケーブル内に一体的に形成されているモニター用ケーブル。
【請求項１４】
請求項１０において、更に、各々が夫々の電極コネクタと前記複数個のワイヤの夫々の一つとの間に電気的に位置されている複数個の抵抗要素を有しているモニター用ケーブル。
【請求項１５】
請求項１０において、前記ケーブルが実質的に平坦なリボンケーブルであり、前記複数個のワイヤが本モニター用ケーブルの実質的に全長にわたって並置して延在しているモニター用ケーブル。
【請求項１６】
請求項１０において、前記ケーブルが実質的に円形断面であるモニター用ケーブル。
【請求項１７】
請求項１０において、前記複数個の個別的なワイヤが互いに電気的に絶縁されているモニター用ケーブル。
【請求項１８】
請求項１０において、更に、前記ケーブルの一端に設けられており且つ各々が前記複数個の個別的なワイヤの内の夫々の一つへ接続されている複数個のコンタクト部分を有しているインターフェースコネクタを有しており、前記インターフェースコネクタが本モニター用ケーブルをモニター装置へ接続させるために設けられているモニター用ケーブル。
【請求項１９】
モニター用ケーブルにおいて、
各々が夫々のケーブルの実質的に全長にわたって延在している複数個の個別的なワイヤを各々が包含している複数個の夫々のケーブル、
各々が前記複数個の個別的なワイヤの夫々の一つへ電気的に接続されており且つ前記複数個の夫々のケーブルの各々に沿った種々の点に位置されている複数個の電極、
を有しているモニター用ケーブル。
【請求項２０】
モニター用ケーブルにおいて、
各々が夫々のケーブルの実質的に全長にわたって延在している複数個の個別的なワイヤを各々が包含している複数個の夫々のケーブル、
各々が前記複数個の個別的なワイヤの夫々の一つへ電気的に接続されており且つ前記複数個の夫々のケーブルの各々に沿った種々の点に位置されている複数個の電極コネクタ、
を有しているモニター用ケーブル。
【請求項２１】
モニター用ケーブルにおいて、
複数個の個別的なワイヤを包含しており、実質的にその全長にわたって実質的に同一の形状とされているケーブル、
各々が前記複数個の個別的なワイヤの夫々の一つへ電気的に接続されており且つ前記ケーブルに沿った種々の点に位置されている複数個の電極、
を有しているモニター用ケーブル。
【請求項２２】
請求項２１において、前記複数個の個別的なワイヤの各々が単一ストランドワイヤを有しているモニター用ケーブル。
【請求項２３】
請求項２１において、前記複数個の個別的なワイヤの各々がマルチストランドワイヤを有しているモニター用ケーブル。
【請求項２４】
請求項２１において、前記複数個の電極が前記ケーブルに一体的に形成されているモニター用ケーブル。
【請求項２５】
請求項２１において、更に、各々が夫々の電極と前記複数個のワイヤのその夫々の一つとの間に電気的に位置されている複数個の抵抗要素を有しているモニター用ケーブル。
【請求項２６】
請求項２１において、前記ケーブルが実質的に平坦なリボンケーブルであり、前記複数個の個別的なワイヤが並置して延在しているモニター用ケーブル。
【請求項２７】
請求項２１において、前記ケーブルが実質的に円形断面であるモニター用ケーブル。
【請求項２８】
請求項２１において、前記複数個の個別的なワイヤが互いに電気的に絶縁されているモニター用ケーブル。
【請求項２９】
請求項２１において、更に、前記ケーブルの一端に設けられており且つ各々が前記複数個の個別的なワイヤのうちの夫々の一つへ接続されている複数個のコンタクト部分を包含しているインターフェースコネクタを有しており、前記インターフェースコネクタが本モニター用ケーブルをモニター装置へ接続させるために設けられているモニター用ケーブル。
【請求項３０】
モニター用ケーブルにおいて、
複数個の個別的なワイヤを包含しており、第一端から先端へかけてテーパーしているケーブル、
各々が前記複数個のワイヤの内の夫々の一つへ電気的に接続されており且つ前記ケーブルに沿った種々の点に位置されている複数個の電極コネクタ、
を有しているモニター用ケーブル。
【請求項３１】
請求項３０において、前記複数個の個別的なケーブルの各々が単一ストランドワイヤを有しているモニター用ケーブル。
【請求項３２】
請求項３０において、前記複数個の個別的なワイヤの各々がマルチストランドワイヤを有しているモニター用ケーブル。
【請求項３３】
請求項３０において、前記複数個の電極コネクタが前記ケーブルに一体的に形成されているモニター用ケーブル。
【請求項３４】
請求項３０において、更に、各々が夫々の電極コネクタと前記複数個のワイヤの内のその夫々の一つとの間に電気的に位置されている複数個の抵抗要素を有しているモニター用ケーブル。
【請求項３５】
請求項３０において、前記ケーブルが実質的に平坦なリボンケーブルであり、前記複数個のワイヤが本モニター用ケーブルの実質的に全長にわたって並置して延在しているモニター用ケーブル。
【請求項３６】
請求項３０において、前記ケーブルが実質的に円形断面であるモニター用ケーブル。
【請求項３７】
請求項３０において、前記複数個の個別的なワイヤが互いに電気的に絶縁されているモニター用ケーブル。
【請求項３８】
請求項３０において、更に、前記ケーブルの一端に設けられており且つ各々が前記複数個の個別的なワイヤの内の夫々の一つへ接続されている複数個のコンタクト部分を包含しているインターフェースコネクタを有しており、前記インターフェースコネクタが本モニター用ケーブルをモニター装置へ接続させるために設けられているモニター用ケーブル。
【請求項３９】
モニター用ケーブルにおいて、
各々が複数個の個別的なワイヤを包含しており、各々がその全長にわたって実質的に同一である形状を持っている複数個の夫々のケーブル、
各々が前記複数個の個別的なワイヤの夫々の一つへ電気的に接続されており且つ前記複数個の夫々のケーブルの各々に沿った種々の点に位置されている複数個の電極、
を有しているモニター用ケーブル。
【請求項４０】
モニター用ケーブルにおいて、
各夫々のケーブルがその全長にわたって実質的に同一である形状を持っている複数個の夫々のケーブル、
各々が前記複数個の個別的なワイヤの内の夫々の一つへ電気的に接続されており且つ前記複数個の夫々のケーブルの各々に沿った種々の点に位置されている複数個の電極コネクタ、
を有しているモニター用ケーブル。
【請求項４１】
モニター用ケーブルにおいて、
各々が複数個の個別的なワイヤを包含しており、各々が第一端から先端へかけてテーパーしている複数個の夫々のケーブル、
各々が前記複数個の個別的なワイヤの夫々の一つへ電気的に接続されており且つ前記複数個の夫々のケーブルの各々に沿った種々の点に位置されている複数個の電極、
を有しているモニター用ケーブル。
【請求項４２】
モニター用ケーブルにおいて、
各々が第一端から先端へかけてテーパーしている複数個の夫々のケーブル、
各々が前記複数個の個別的なワイヤの内の夫々の一つへ電気的に接続されており且つ前記複数個の夫々のケーブルの各々に沿った種々の点に位置されている複数個の電極コネクタ、
を有しているモニター用ケーブル。
【請求項４３】
請求項２１において、前記形状が前記ケーブルの幅及び直径の内の少なくとも一つを有しているモニター用ケーブル。
【請求項４４】
請求項３９において、前記形状が前記ケーブルの幅及び直径の内の少なくとも一つを有しているモニター用ケーブル。
【請求項４５】
請求項４０において、前記形状が前記ケーブルの幅及び直径の内の少なくとも一つを有しているモニター用ケーブル。
【発明の詳細な説明】
【０００１】
【発明の属する技術分野】
本発明はモニター用ケーブルに関するものであって、更に詳細には、電極または電極コネクタがケーブルに沿って設けられているモニター用ケーブルに関するものである。
【０００２】
【従来の技術】
患者の心臓の活動をモニターする場合に心電図（ＥＣＧ）が使用される。患者はＥＣＧケーブルでＥＣＧモニターシステムへ接続される。例えば、モニター用の典型的なＥＣＧケーブルは１２リードＥＣＧと呼称される。１２リードＥＣＧはＥＣＧ信号を採取するために１０ワイヤＥＣＧケーブルを使用することを必要とする。該ケーブルの一端をコネクタを介してトランクケーブルでモニター／採取ユニットへ接続させる。トランクケーブルの他端はスプリッタを有している。該スプリッタはトランクケーブルに設けられている１０個の個別的なリードワイヤを患者へ接続させるべく１０個のリードワイヤへ分割する。該１０個のリードワイヤの各々は典型的に１ｍの長さである。他のタイプのモニターケーブルは３，５，及び８個のワイヤケーブルを包含している。
【０００３】
【発明が解決しようとする課題】
この様なＥＣＧケーブルにおける問題は、それらを患者へ接続させるのに非常に厄介であるということであり、特に、１２リードＥＣＧモニター用の１０ワイヤＥＣＧケーブルを使用する場合にそうである。更に、リードワイヤは絡まる傾向があり、そのことはＥＣＧケーブルを使用することを更に困難なものとさせている。正しいリードワイヤを患者上の対応する電極へ接続することを試みながらリードワイヤの絡みをほどくことはユーザにとって困難である場合がある。典型的なＥＣＧケーブルを接続させる手順は時間がかかり且つあまりユーザフレンドリなものではない。
【０００４】
【課題を解決するための手段】
モニター用ケーブルは、各々がモニター用ケーブルの実質的に全長にわたって延在している複数個の個別的なワイヤと、及び各々が該複数個の個別的なワイヤの夫々の一つへ電気的に接続されており且つ該ケーブルに沿った種々の点に位置されている複数個の電極とを有している。本発明の別の側面によれば、モニター用ケーブルは、各々が実質的にケーブルの全長にわたって延在している複数個の個別的なワイヤと、各々が該複数個のワイヤの夫々の一つへ電気的に接続されており且つ該ケーブルに沿った種々の点に位置されている複数個の電極コネクタとを有しているケーブルを有している。
【０００５】
該複数個の個別的なワイヤの各々は、単一ストランドワイヤ又はマルチストランドワイヤを有することが可能である。該複数個の電極又は電極コネクタは、ケーブルに一体的に形成させることが可能である。本モニター用ケーブルは、更に、各々が電極コネクタと該複数個のワイヤの内のその夫々の一つとの間に電気的に位置されている複数個の抵抗要素を有することが可能である。該ケーブルは実質的に平坦なリボンケーブルとすることが可能であり、該複数個の個別的なワイヤは本モニター用ケーブルの実質的に全長にわたって並置して延在している。該ケーブルは実質的に円形形状とすることが可能である。該複数個の個別的なワイヤは、互いに電気的に絶縁されている。インターフェースコネクタを該ケーブルの一端に設けることが可能であり、且つ各々が該複数個の個別的なワイヤの内の夫々の一つへ接続されている複数個のコンタクト部分を有することが可能であり、該インターフェースコネクタは本モニター用ケーブルをモニター装置へ接続させるために設けられる。
【０００６】
本発明の別の側面によれば、モニター用ケーブルが複数個の夫々のケーブルを包含しており、該複数個の夫々のケーブルの各々は各々が該夫々のケーブルの実質的に全長にわたって延在する複数個の個別的なワイヤを包含している。複数個の電極又は電極コネクタの各々が該複数個の個別的なワイヤの夫々の一つへ電気的に接続されており且つ該複数個の夫々のケーブルの各々に沿った種々の点に位置されている。
【０００７】
【発明の実施の態様】
図面に例示した本発明の好適実施例を説明する上で、説明の便宜上特定の用語を使用する。しかしながら、本発明はそのように選択された特定の用語に制限されることを意図したものではなく、各特定の要素は同様の態様で動作する全ての技術的に均等な物を包含するものであることを理解すべきである。
【０００８】
図１Ａ乃至１Ｃを参照すると、通常ＥＣＧケーブル１として呼称される第１実施例に基づくＥＣＧケーブルが示されている。以下の実施例は、１２リードモニターを実施するための１０ワイヤＥＣＧケーブルを参照して説明する。しかしながら、任意の数のワイヤを実現させることが可能であることを理解すべきである。
【０００９】
ＥＣＧケーブル１は、ケーブル部分１２と、１０個の電極コンタクト部分１６と、コンタクト１８を包含するモニターコネクタ１０とを有している。モニターコネクタ１０は、モニター装置へ接続するのに適した標準タイプのコネクタである。この実施例によれば、ケーブル部分１２は、各々がケーブル１２の全長にわたって延在している１０個の個別的なワイヤを包含する平坦なリボンケーブルである。リボンケーブル１２内に１０個の電極コンタクト１６が一体的にモールド成形されている。各電極コンタクト１６はリボンケーブル１２内のワイヤの内の対応する一つへ電気的に接続している。即ち、図１Ｄに示したように、１０個の電極Ｎ，Ｆ，Ｃ６−Ｃ１，Ｒ，Ｌを接続するための電極コンタクトが設けられている。該電極コンタクトの各々はケーブル１２内の対応するワイヤの内の一つへ電気的に接続されている。これら１０個のワイヤの内の各々は、その全長にわたって強靭であるが尚且つ柔軟性のあるケーブルを与えるためにケーブル１２の全長にわたり延在している。図１Ａに示されるように、リボンケーブル１２（又は電極パッド１４）は、各電極コンタクト部分が配置されるべき患者上の位置を表すべくマーク付けすることが可能である。
【００１０】
患者１１上のケーブル／電極の配置を図１Ｅに示してある。パッドＲが患者の胸の上部部分上左側に配置されている。パッドＣ１〜Ｃ２が第４肋間隙と同じレベルにおいて夫々胸骨の左側及び右側に配置されている。Ｃ３はＣ２とＣ４との間に配置されている。Ｃ４は中間鎖骨線において第５肋間隙上に配置されている。Ｃ５〜Ｃ６は中間脇の下線の前側にＣ４と同じレベルに配置されている。Ｎは患者の右側寛骨上に配置されており且つＦはその左側寛骨上に配置されている。勿論、患者にケーブル／電極を配置させることは、所望により、異なる位置とさせることが可能である。
【００１１】
図２Ａは、図１Ａにおける２−２線に沿って取った、１実施例に基づくＥＣＧケーブル１の断面である。図示したように、各電極コンタクト１６はリボンケーブル１２と一体的にモールド成形されている。本明細書において記載する実施例によれば、電極コンタクト１６は「スナップ」型コンタクトである。「スナップ」型コンタクトは、電極パッド１４（図２Ｂ）を電極コンタクト１６又はＥＣＧケーブル１に容易に接続させ且つそれから取り外すことを可能とさせる。勿論、その他のタイプの電極コンタクトとすることも可能である。
【００１２】
リボンケーブル１２は１０個の個別的なワイヤ２０を包含しており、該ワイヤの各々はケーブル１２の全長にわたって延在している。各ワイヤ２０はコネクタ１０からケーブルの先端までの長さにわたって延在しているので、ケーブルは耐久性があり、柔軟性があり且つ製造が容易である。図２Ａに示したように、電極コンタクト１６は、コネクタ１６内又はリボンケーブル１２内に一体的に形成することが可能なサージ保護抵抗２２を介して、その夫々のワイヤ２０へ接続させることが可能である。図２Ｂに示したように、サージ保護抵抗が使用されない場合、又はケーブル１２又はコネクタ１０内のその他の個所に設けられている場合には、各電極コンタクト１６はその対応するワイヤ２０へ直接的に接続される。電極パッド組立体１４（図２Ｂ）は、電極コンタクト１６内にスナップフィットすべき寸法とされているコンタクトポスト部分２４を有している。電極パッド組立体１４は接着剤２６を被覆するレリーズシート２８を有している。
【００１３】
図３Ａに示したような別の実施例によれば、パッドベース３０をリボンケーブル１２の底部内に一体的にモールド成形して、電極パッド組立体１４に対する付加的な支持を与えることが可能である。図３Ｂに示したように、サージ保護抵抗３２はパッドベース３０内に一体的に形成することが可能である。パッドベース３０は、電極パッド組立体１４とほぼ同一の寸法とすることが可能である。
【００１４】
更に別の実施例によれば、該電極パッド組立体は、それ自身リボンケーブル１２と一体的に形成することが可能である。再使用可能な接着剤３４及びレリーズシート３６も設けられている。図４Ｂに示したように、サージ保護抵抗３８を設けることが可能である。
【００１５】
リボンケーブルの代わりに、その他のタイプ及び形状のケーブルを使用することが可能である。図５Ａ〜５Ｃに示したような実施例によれば、リボンケーブル１２の代わりに、複数個の導体４２を有する丸いケーブル４０（その小さな一部のみ示してある）を使用することが可能である。上述したリボンケーブルの場合におけるように、導体４２はケーブルの長さにわたって延在している。電極パッド支持体４４がケーブル４０と一体的にモールド成形されている。例えば、図２Ｂ，３Ａに示したパッド１４と同様の電極パッド（不図示）を電極コネクタ４６内にスナップフィットさせることが可能である。
【００１６】
図５Ｄに示したような別の実施例においては、電極パッド支持体４４を省略し、単に電極コネクタ４６をケーブル４０と一体的にモールド成形させることが可能である。図５Ｅに示したような別の実施例においては、電極パッド４１自身を、図４Ａ，４Ｂにおける場合と同様に、ケーブル４０と一体的にモールド成形することが可能である。電極パッド４１は、レリーズシート４５によって被覆されている再使用可能な接着剤４３を有している。勿論、サージ保護抵抗（不図示）を本明細書に開示した実施例の各々に設けることが可能である。
【００１７】
別の実施例を図６Ａ〜６Ｃに示してある。この実施例においては、ケーブル６０はそれに形成した一連のノッチ、即ち刻設部、６２を有しており、それらはケーブルに対して付加的な柔軟性を与えている。該ノッチは、所望の柔軟性の量に依存して、ケーブルの周りに完全に延在することが可能であり、又はその側部に沿って又は一部にのみ延在することが可能である。電極パッド６１はケーブルと一体的に形成することが可能である。別法として、スナップフィットコネクタ（不図示）をケーブル６０と一体的に形成することが可能であり、且つ図２Ｂ，３Ａに示したパッドと同様の電極パッド（不図示）がその中にスナップフィットする。
【００１８】
上述した実施例の変形例が可能である。例えば、上述したように、全ての電極を、１２リードで１ケーブル形態を示している図７Ａに示したような一つのケーブル（ｘ）上に設けることが可能である。１２リードで２ケーブル形態を図示している図７Ｂに示した別の実施例においては、該電極の内の４個を一つのケーブル（ｘ）上に設けることが可能であり、４個のワイヤはそのケーブルの全長にわたって延在している。残りの６個の電極は別のケーブル（ｙ）に設けることが可能であり、６個のワイヤはそのケーブルの全長にわたって延在している。別の実施例においては、１２リードで３ケーブル形態を示している図７Ｃに示したように、３個の個別的なケーブルを設けることが可能であり、患者の胸の上に容易に且つ便利に配置させるために電極をグループ化させている。この実施例においては、これら３個のケーブル（夫々、ｘ，ｙ，ｚ）は、夫々、その長さにわたって延在する２個、６個及び２個のワイヤを有している。
【００１９】
図８Ａ〜８Ｃに示したように、８ワイヤＶＣＧシステム（フランク（Ｆｒａｎｋ）リードシステム）に使用するケーブルは１個のケーブル（図８Ａ），２個のケーブル（図８Ｂ）又は３個のケーブル（図８Ｃ）を有することが可能である。勿論、所望により、より多くのケーブルを設けることが可能である。
【００２０】
１実施例によれば、上述したケーブルはシールドさせることが可能であり、且つ該ケーブル及び／又は電極／電極コネクタは、それを取り付ける患者上の位置を表すべく明確にマーク付けさせることが可能である。
【００２１】
更に別の実施例によれば、リボンケーブルの形状又は丸いケーブルの直径は、その全長にわたり同一のままである。しかしながら、この実施例においては、電極へ接続するワイヤはケーブルの全長にわたり延在するものではない。その代わりに、各ワイヤは対応する電極又は電極コネクタにおいて終端する。ケーブルの形状又は直径がその全長にわたり同じままであるので、ケーブルは耐久性があるが柔軟性もある。別の実施例においては、２個又はそれ以上のケーブルが使用される場合には（例えば、図８Ｂ，８Ｃを参照）、各ケーブルの直径又は幅は異なる場合があり且つ各夫々のケーブルの直径又は幅はその全長にわたり同じままである場合があり、ワイヤはそれらの夫々の電極において終端する。
【００２２】
更に別の実施例によれば、各ワイヤは対応する電極又は電極コネクタにおいて終端する。しかしながら、図９に示したように、この実施例においては、リボンケーブル１００はその幅が、モニターコネクタ１０２に取り付けられている最も幅広部分から先端における最も幅狭部分にかけて、テーパーしている。該先端は、例えば、図示した如く、その上に電極コネクタＬが設けられている端部である。同様の態様で、丸いケーブルが好適であり且つ各ワイヤが対応する電極又は電極コネクタにおいて終端する場合には、ケーブルは、モニタ−コネクタに取り付けられている最大直径セクションから先端における最小直径セクションへテーパーする。別の実施例においては、２個又はそれ以上のケーブルが使用される場合には（例えば、図８Ｂ，８Ｃを参照）、各ケーブルの直径又は幅が、モニターコネクタへ接続しているその最も幅広の端部から先端に設けられている最も幅狭部へテーパーすることが可能であり、該ワイヤはそれらの夫々の電極において終端する。
【００２３】
本明細書の記載内容は、関連する用語を参照する場合に、特定の標準の呼称を参照しているが、これらの実施例はそれらを説明するために使用した特定の標準によって制限されるべきものではないことは明らかである。例えば、リードはＩＥＣ標準への参照を使用して説明しているが、本開示はその標準に制限されるべきものではないことは明かである。例えば、ＩＥＣ標準用語に対してＡＮＳＩ標準を置換させることが可能である。
【００２４】
本明細書に記載した実施例に基づき、便利なユーザフレンドリなＥＣＧケーブルを提供することが可能であり、それは電極を患者上に迅速に且つ容易に配置させることを可能とさせる。リードワイヤの絡まりは著しく減少され、患者上でのリードワイヤの配置間違えが減少され、且つＥＣＧケーブルを接続させるのに必要な時間が減少されている。
【００２５】
上述した説明に鑑み、本実施例の多数の付加的な修正及び変形が可能である。従って、特許請求の範囲を逸脱すること無しに、本実施例を本明細書に特に記載したのとは異なるように実施させることが可能であることを理解すべきである。
【図面の簡単な説明】
【図１Ａ】１実施例に基づく１２リードＥＣＧケーブルの部分的平面図。
【図１Ｂ】１実施例に基づく１２リードＥＣＧケーブルの部分的底面図。
【図１Ｃ】１実施例に基づく１２リードＥＣＧケーブルの部分的側面図。
【図１Ｄ】１実施例に基づく１２リードＥＣＧケーブルの斜視図。
【図１Ｅ】図１Ａ〜１Ｄに示したＥＣＧケーブルの配置を示した概略図。
【図２】（Ａ）及び（Ｂ）は、夫々、１実施例に基づく保護抵抗を有する図１Ａにおける２−２線に沿って取った断面図及び別の実施例に基づく保護抵抗無しの図１Ａにおける２−２線に沿って取った断面図。
【図３】（Ａ）及び（Ｂ）は、夫々、保護抵抗無し及び有りの図１Ａにおける３−３線に沿って取った各断面図。
【図４】（Ａ）及び（Ｂ）は、夫々、保護抵抗無し及び有りの一体的にモールド成形した電極パッドを有している別の実施例に基づくケーブルの各断面図。
【図５】（Ａ）は別の実施例に基づくＥＣＧケーブルの部分側面図、（Ｂ）は（Ａ）における５Ｂ−５Ｂ線に沿って取った断面図、（Ｃ）は（Ａ）に示したケーブルの部分平面図、（Ｄ）及び（Ｅ）は電極配置に対する異なる実施例を図示した各断面図。
【図６】（Ａ）は別の実施例に基づくＥＣＧケーブルの部分側面図、（Ｂ）は（Ａ）の平面図、（Ｃ）は（Ｂ）における６Ｃ−６Ｃ線に沿って取った断面図。
【図７】（Ａ）〜（Ｃ）は、夫々、１ケーブル、２ケーブル、及び３ケーブルを有する１２リードＥＣＧを示した各該略図。
【図８】（Ａ）〜（Ｃ）は、夫々、１ケーブル、２ケーブル、及び３ケーブルを有する８ワイヤＶＣＧを示した各該略図。
【図９】更に別の実施例に基づくＥＣＧケーブルの部分平面図。
【図１Ａ】
2004501736.tif 000003
【図１Ｂ】
2004501736.tif 000004
【図１Ｃ】
2004501736.tif 000005
【図１Ｄ】
2004501736.tif 000006
【図１Ｅ】
2004501736.tif 000007
【図２】
2004501736.tif 000008
【図３】
2004501736.tif 000009
【図４】
2004501736.tif 000010
【図５】
2004501736.tif 000011
【図６】
2004501736.tif 000012
【図７】
2004501736.tif 000013
【図８】
2004501736.tif 000014
【図９】
2004501736.tif 000015
【国際公開パンフレット】
2004501736.tif 000016
2004501736.tif 000017
2004501736.tif 000018
2004501736.tif 000019
2004501736.tif 000020
2004501736.tif 000021
2004501736.tif 000022
2004501736.tif 000023
2004501736.tif 000024
2004501736.tif 000025
2004501736.tif 000026
2004501736.tif 000027
2004501736.tif 000028
2004501736.tif 000029
2004501736.tif 000030
2004501736.tif 000031
2004501736.tif 000032
2004501736.tif 000033
2004501736.tif 000034
2004501736.tif 000035
2004501736.tif 000036
2004501736.tif 000037
2004501736.tif 000038
2004501736.tif 000039
2004501736.tif 000040
2004501736.tif 000041
2004501736.tif 000042
2004501736.tif 000043
2004501736.tif 000044
2004501736.tif 000045
2004501736.tif 000046
2004501736.tif 000047
【国際公開パンフレット（コレクトバージョン）】
2004501736.tif 000048
【国際調査報告】
2004501736.tif 000049
2004501736.tif 000050